(57)【要約】【課題】設けられたファスナーを閉じる操作が容易になるとともに、かかる操作を容易にするために設けられた把持部が不使用時には外部から見えず、見映えが悪くならないセパレートタイプの水着およびその上衣を提供する。【解決手段】本発明は、上半身に着用する上衣１と、下半身に着用する下衣２０とを有するセパレートタイプの水着の上衣１であって、上衣１の前方側もしくは後方側を開放可能にする、左右に分離可能なファスナー２、および下端側で上衣１の裏地と接続し、上端が自由端である把持部３を有し、把持部３が、上衣１の裏地側におけるファスナーの蝶棒近傍で上衣１の裏地と接続し、裏地と接続している接続部から把持部３を下方に折り返すと、把持部３の自由端側が上衣１の下端から露出する。【選択図】図１
0003158759.tif 000002
【実用新案登録請求の範囲】
【請求項１】
上半身に着用する上衣と、下半身に着用する下衣とを有するセパレートタイプの水着の上衣であって、
前記上衣の前方側もしくは後方側を開放可能にする、左右に分離可能なファスナー、および
下端側で前記上衣の裏地と接続し、上端が自由端である把持部を有し、
前記ファスナーがスライダーを有し、
前記ファスナーを左右に分離したときの一対のファスナー部分のうちの一方のスライダー部分が前記スライダーを有し、他方のスライダーを有さないファスナー部分が下端に蝶棒を有し、
前記把持部が、前記上衣の裏地側の前記蝶棒近傍で前記上衣の裏地と接続し、
前記裏地と接続している接続部から前記把持部を下方に折り返すと、前記把持部の自由端側が前記上衣の下端から露出する、セパレートタイプの水着の上衣。
【請求項２】
前記把持部が、前記把持部の上端側に、使用者の指を挿入可能とする開口部を有する、請求項１のセパレートタイプの水着の上衣。
【請求項３】
前記開口部が、一枚の生地を折り曲げて形成され、
前記把持部が、前記上衣の裏地と縫合で接続している、請求項２のセパレートタイプの水着の上衣。
【請求項４】
前記把持部の少なくとも一部が、前記ファスナーのファスナーテープと接続している、請求項１乃至３のいずれかのセパレートタイプの水着の上衣。
【請求項５】
請求項１乃至４のいずれかの上衣を有するセパレートタイプの水着。
【考案の詳細な説明】
【技術分野】
【０００１】
本考案は、上半身と下半身とで別々に構成されたセパレートタイプの水着に関する。
【背景技術】
【０００２】
ワンピースタイプの水着のように体の露出を少なくし、ビキニタイプの水着のように上半身と下半身とで別々に構成して水着の着脱を容易にしたセパレートタイプの水着が従来技術として知られている（たとえば、特許文献１）。このセパレートタイプの水着は、水着の上半身部（以下、上衣と呼ぶ）の前方側を開放して脱着できるようにするために、ファスナーが設けられており、上衣の脱着がさらに容易となっている。
【０００３】
ここで、ファスナーは、それぞれファスナーテープに装着された一対の並列に配置されエレメントと、一対のエレメントを係合・離脱させるスライダーとを有する。スライダーには把手が設けられている。ファスナーは一方のファスナーテープ側と他方のファスナーテープ側とで左右に分離させることができる。２つのファスナーを分離させたもののうち、スライダーが取り付けられている側のものの並列に配置された一群のエレメントの下端側には、箱棒が設けられており、さらにその下端には箱が設けられている。スライダーが取り付けられてない側のものの並列に配置された一群のエレメントの下端側には、蝶棒が設けられている。
【先行技術文献】
【特許文献】
【０００４】
【特許文献１】特開２００６−０８９９０１号公報
【考案の概要】
【考案が解決しようとする課題】
【０００５】
かかるセパレートタイプの水着の上衣を着用するとき、開いたファスナーを閉じなくてはならない。このとき、まずスライダーをファスナーの箱に密着するまで降下させ、ファスナーの蝶棒をスライダーの根本までしっかり差し込む。そして、ファスナーの下端周辺を表地から見た図である図５に示すように、一方の手で蝶棒側を押さえた状態で、他方の手でスライダー３１の把手３２を上昇させなくてはならない。セパレートタイプの水着の上衣では、蝶棒側を押さえた位置を支点として回転しようとする力が大きくなり、スライダー３１を上昇させようとする操作がうまくいかない場合があるという問題点がある。
【課題を解決するための手段】
【０００６】
本発明は、課題を解決すため、以下の構成を採用した。すなわち、本発明は、上半身に着用する上衣と、下半身に着用する下衣とを有するセパレートタイプの水着の上衣であって、上衣の前方側もしくは後方側を開放可能にする、左右に分離可能なファスナー、および下端側で上衣の裏地と接続し、上端が自由端である把持部を有し、ファスナーがスライダーを有し、ファスナーを左右に分離したときの一対のファスナー部分のうちの一方のスライダー部分がスライダーを有し、他方のスライダーを有さないファスナー部分が下端に蝶棒を有し、把持部が、上衣の裏地側の蝶棒近傍で上衣の裏地と接続し、裏地と接続している接続部から把持部を下方に折り返すと、把持部の自由端側が上衣の下端から露出する。ここで、把持部が、把持部の上端側に、使用者の指を挿入可能とする開口部を有する。また、開口部が、一枚の生地を折り曲げて形成され、把持部が、上衣の裏地と縫合で接続している。さらに、把持部の少なくとも一部が、ファスナーのファスナーテープと接続している。また、本発明のセパレートタイプの水着が上記上衣のいずれかを有する。
【考案の効果】
【０００７】
本発明によれば、セパレートタイプの水着の上衣に設けられたファスナーを閉じる操作が容易になるとともに、かかる操作を容易にするために設けられた把持部が不使用時には外部から見えず、見映えが悪くならない。
【図面の簡単な説明】
【０００８】
【図１】図１は、本考案の一実施形態におけるセパレートタイプの水着を示す図である。
【図２】図２は、本考案の一実施形態におけるセパレートタイプの水着の上衣に設けられた把持部を説明するための図である。
【図３】図３は、本考案の一実施形態におけるセパレートタイプの水着の上衣に設けられた把持部を折り返したときの状態を説明するための図である。
【図４】図４は、本考案の一実施形態におけるセパレートタイプの水着の上衣に設けられた把持部を使用するときの操作を説明するための図である。
【図５】図５は、従来のセパレートタイプの水着のファスナーのスライダーを上昇させるときの操作を説明するための図である。
【考案を実施するための形態】
【０００９】
以下、図を参照して本発明の一実施形態をより詳細に説明する。
図１は、本考案の一実施形態におけるセパレートタイプの水着を示す図である。セパレートタイプの水着とは、上半身と下半身とで別々に構成した水着である。セパレートタイプの水着の上半身部を以下、上衣と呼び、下半身部を下衣と呼ぶ。
【００１０】
符号１は、本考案の一実施形態におけるセパレートタイプの水着の上衣を示し、符号２０は下衣を示す。上衣１および下衣２０は、ポリエチレンやポリウレタンなどの布地から作製され、伸縮性を有し、体にフィットするように作製されている。
【００１１】
上衣１の前方側（腹部側）において、上衣１の上端から下端にかけてファスナー２が装着されており、ファスナー２を開くことによって上衣１の前方が開放され、上衣の着脱が容易になる。また、上衣の下端（裾）１ａ側のファスナー２の下端近傍で裏面側には、ファスナー２を閉じる際、使用者が上衣の下端１ａ側を把持するのに使用する把持部３が取り付けられている。
【００１２】
図３および図４を参照して、ファスナー２を説明する。ファスナー２は、それぞれファスナーテープ２ａに装着された一対の並列に配置されエレメント２ｃと、一対のエレメント２ｃを係合・離脱させるスライダー２ｅとを有する。したがって、このファスナー２は、いわゆるスライドファスナーである。ファスナーテープ２ａは、ポリエステルなどから作製され、上衣１および下衣２０の生地に比べて伸縮性が小さく剛性を有する。スライダー２ｅには把手２ｄが設けられており、これを手でつまんで操作することにより、上方から下方もしくは下方から上方に向かってのスライダー２ｅの走行が容易になる。
【００１３】
また、このファスナー２は一方のファスナーテープ側と他方のファスナーテープ側とで左右に分離させることができ、このファスナー２はいわゆるオープンファスナーである。ファスナー２を２つに分離したもののそれぞれを、以下、ファスナー部分と呼ぶ。これらのファスナー部分を左右に分離したとき、一方のファスナー部分は、スライダー２ｅが取り付けられた状態になる。スライダー２ｅが取り付けられている側のファスナー部分の、並列に配置された一群のエレメント２ｃの下端側には、箱棒（不図示）が設けられており、さらにその下端には箱２ｆが設けられている。これは、スライダー２が一群のエレメント２ｃから抜け落ちるのを防止するものである。また、スライダー２ｅが取り付けられてない側のファスナー部分の、並列に配置された一群のエレメント２ｃの下端側には、蝶棒２ｂが設けられている。
【００１４】
次に、図２および図３を参照して、把持部３を説明する。図２に示すように、上衣１の裏地１１側のファスナー２の下端近傍に把持部３が設けられている。把持部３は、対向する端が重なるように矩形形状の生地を２つに折り曲げ、折り曲げられたときに重なる該端の近傍を、上衣１の下端部１ａ近傍の裏地１１に縫合（３ａ）することによって取り付けられる。これにより、開口部１ｂが形成され、この開口部１ｂは使用者の指を挿入できる大きさになっている。把持部３は、ファスナーの下端にある蝶棒２ｂの近傍の裏地１１側に装着され、具体的には、蝶棒の横側に装着される。
【００１５】
把持部３は、把持部３の下端側で上衣の裏地１１に縫合（３ａ）されて固定されているので、把持部３は上衣１の裏地１１側に隠れてしまい、把持部３は外部から見えない。一方、把持部３の上端側は固定されておらず、自由に動くことができる自由端となっている。したがって、図３に示すように、把持部３が裏地１１と接続している接続部３ａから把持部３を下方に折り返すと、把持部３の自由端側が上衣１の下端１ａから露出するようになる。使用者は、把持部３のこの露出部分を把持してファスナー２を閉じる。把持部３が上衣１の下端１ａから露出する部分の大きさは、使用者がその露出部分を把持できればとくに限定されないが、たとえば１．５ｃｍ×１．５ｃｍである。
【００１６】
図２および図３に示すように、把持部３の接合部３ａの一部はファスナーテープ２ａと重なっている。すなわち、把持部３の少なくとも一部がファスナーテープ２ａと接続している。
【００１７】
次に、図４を参照して、本発明の一実施形態における上衣１の開放したファスナー２を閉じる操作を説明する。図４は、ファスナー２の下端周辺を表地１２側から見たときの図である。最初に、ファスナー２のスライダー２ｅをファスナー２の箱２ｆに密着するまで降下させ（不図示）、そして、ファスナーの蝶棒２ｂ（図２参照）をスライダー２ｅの根本までしっかり差し込む（不図示）。そして、図４に示すように、一方の手で把持部３を押さえた状態で、他方の手でスライダー２ｅの把手２ｄをつまみ、スライダー２ｅを上昇させて、ファスナー２を閉じる。
【００１８】
上述したように、一方の手で把持部３を押さえた状態で、他方の手でスライダー２ｅの把手２ｄをつまみ、スライダー２ｅを上昇させると、スライダー２ｅを上昇させる操作が容易になる。これは、以下の理由による。
【００１９】
使用者がスライダー２ｅを上昇させようとして一方の手で把手２ｄをつまみ、スライダー２ｅを上方に引っ張ると、スライダー２ｅを上昇させようとする力とともに、他方の手で蝶棒２ｂ（図２参照）近傍を把持している位置を中心に回転しようとする力も発生する。とくに伸縮性の大きい生地ほど、回転しようとする力の影響が大きい。一方の手で使用者がつまんでいる把手２ｄの根元と、他方の手で蝶棒２ｂ近傍を把持している位置とを結んだ方向（矢印Ａ）と、スライダー２ｅが上昇する方向（矢印Ｂ）との差が小さいと、上記把持している位置を中心とした回転しようとする力は弱くなり、使用者の力は分散されないので、スライダー２ｅを容易に上昇させることができる。しかし、上記方向差が大きいと、上記把持している位置を中心とした回転しようとする力が大きくなり、力は分散されてスライダー２ｅを上昇させようとする力が弱くなり、スライダー２ｅを上昇させるのが容易でなくなる。
【００２０】
ここで、図４に示すように、使用者は把持部３を把持すると、上述の方向差（矢印Ａと矢印Ｂとの方向差）が小さくなるので回転しようとする力が小さくなり、スライダー２ｅを上昇させる操作が容易になる。しかし、図５に示すように、把持部３がない場合は、使用者は、スライダー３１の横方向の位置で把持しなくてはならず、上述の方向差（矢印Ｃと矢印Ｄとの方向差）が大きくなり、把持している位置を中心とした回転しようとする力が大きくなるので、力が分散してスライダー３１を上昇させる力が弱くなり、スライダー３１を上昇させようとする操作が難しくなる。
【００２１】
以上の一実施形態によるセパレートタイプの水着の上衣１は次のような作用効果を奏する。
（１）上衣１の前方側もしくは後方側を開放可能にする、左右に分離可能なファスナー２、および下端側で上衣１の裏地１１と接続し、上端が自由端である把持部３を有し、ファスナー２がスライダー２ｅを有し、ファスナー２を左右に分離したときの一対のファスナー部分のうちの一方のスライダー部分がスライダー２ｅを有し、他方のスライダー２を有さないファスナー部分が下端に蝶棒２ｂを有し、把持部３が、上衣１の裏地側の蝶棒２ｂ近傍で上衣１の裏地１１と接続し、裏地１１と接続している接続部３ａから把持部３を下方に折り返すと、把持部３の自由端側が上衣１の下端１ａから露出するようにした。これにより、セパレートタイプの水着の上衣１に設けられたファスナー２を閉じる操作が容易になるとともに、かかる操作を容易にするために設けられた把持部３が不使用時には外部から見えず、見映えが悪くならない。また、把持部３を把持することよって、ファスナーの蝶棒２ｂをスライダー２ｅの根本までしっかり差し込む操作も容易になる。
【００２２】
（２）把持部３の上端側に、使用者の指を挿入可能とする開口部３ｂを有するようにした。これにより、把持部３を把持しなくても、開口部３ｂに指を挿入するだけで、ファスナー２のスライダー２ｅを上昇させるときに把持部３を保持することができる。
【００２３】
（３）一枚の生地を折り曲げて開口部３ｂを把持部３に形成するようにした。これにより、生地に特別な加工を施さなくても開口部３ｂを形成することができる。
【００２４】
（４）把持部３の少なくとも一部を、ファスナー２のファスナーテープ２ａと接続するようにした。これにより、スライダー２ｅを上昇させようとしたときに把持している地点を中心とした回転しようとする力が発生しても、ファスナーテープ２ａの剛性により回転しづらくなり、力が分散されないので、スライダー２ｅを上昇させる操作が容易になる。
【００２５】
以上の一実施形態によるセパレートタイプの水着の上衣１を次のように変形することができる。
（１）以上の一実施形態では、ファスナー２を上衣１の前方側に取り付けたが、上衣１の後方側（背中側）に取り付けてもよい。このように、上衣１の後方側（背中側）にファスナー２を取り付けた場合であっても、セパレートタイプの水着の上衣１に設けられたファスナーを閉じる操作が容易になるとともに、かかる操作を容易にするために設けられた把持部３が不使用時には外部から見えず、見映えが悪くならないという効果を奏する。
【００２６】
（２）把持部３に開口部を形成する方法は、一枚の生地を折り曲げて開口部３ｂを形成する方法に限定されない。たとえば、把持部３の生地に穴を開けて開口部を形成してもよいし、リング形状の金具を取り付けて把持部３に開口部を形成するようにしてもよい。
【００２７】
（３）保持部３は矩形形状の生地から作製されたものに限定されず、保持部３の形状も矩形形状に限定されない。たとえば、保持部の生地の形状や保持部の形状を楕円形状にしてもよい。
【００２８】
（４）以上の実施形態では、本発明をセパレートタイプの水着およびその上衣に適用したが、セパレートタイプのフィットネス用のウエアにも適用することができる。
【００２９】
実施形態と変形例の一つ、もしくは複数を組み合わせることも可能である。変形例同士を組み合わせることも可能である。
【００３０】
以上の説明はあくまで一例であり、発明は、上記の実施形態に何ら限定されるものではない。
【符号の説明】
【００３１】
１    上衣
１ａ    上衣の下端
２，３０    ファスナー
２ａ，３５    ファスナーテープ
２ｂ    蝶棒
２ｃ，３４    エレメント
２ｄ，３２    把手
２ｅ，３１    スライダー
２ｆ，３３    箱
３    把持部
３ａ    開口部
１１    上衣の裏地
１２    上衣の表地
２０    下衣
【図１】
0003158759.tif 000003
【図２】
0003158759.tif 000004
【図３】
0003158759.tif 000005
【図４】
0003158759.tif 000006
【図５】
0003158759.tif 000007